(57)【要約】【課題】回転電機の固定子のティースに巻回される電線を確実に固定し、かつその巻線作業を効率良くする。【解決手段】突出するティース１Ａｃを有するコア部材１Ａを、互いに屈曲可能に連結し、ティース１Ａｃが外側となるような円弧状に形成し、この状態でティース１Ａｃに電線４を巻線機（図示しない）によって巻回する。同時に、この電線４の巻回層の上にプリプレグテープ（耐熱支持体に樹脂を含浸して半硬化状態に処理したテープ）５を巻線機によって巻回する。この手順を複数層繰り返す。その後、コア部材１Ａをティース１Ａｃが内側となるようなリング状に形成かつ固定する。この固定子を加熱してプリプレグテープの樹脂を硬化する。【選択図】　　　　図１
2004048917.tif 000002
【特許請求の範囲】
【請求項１】
リング状の固定子コアの内側に複数のティースが突出し、このティースに電線が複数層巻回されたものにおいて、上記巻回された電線の各層間に介在し、上記電線を結束するテープを備えたことを特徴とする回転電機の固定子。
【請求項２】
テープは、プリプレグテープとしたことを特徴とする請求項１記載の回転電機の固定子。
【請求項３】
屈曲可能に連結されそれぞれ突出するティースを有する複数のコア部材を、上記ティースが外側となるような円弧状に形成する工程と、上記のように形成されたコア部材のティースに電線を巻線機により巻回する工程と、この工程と同時に上記巻回された電線上にプリプレグテープを上記巻線機により巻回する工程と、この工程に続いて上記コア部材を上記ティースが内側となるようなリング状に形成する工程とを備えてなる回転電機の固定子の製造方法。
【請求項４】
請求項３記載の各工程を終了した固定子を加熱して、プリプレグテープを乾燥する工程を設けてなる回転電機の固定子の製造方法。
【発明の詳細な説明】
【０００１】
【発明の属する技術分野】
この発明は、回転電機、特に永久磁石モータに使用される固定子及びその製造方法に関するものである。
【０００２】
【従来の技術】
永久磁石がロータに配置された永久磁石モータの固定子のティースには、集中巻コイルが使用される。集中巻コイルは、１つのティースに電線が巻回されるコイルをいい、例えば特開平９−３０８１４２号公報に示されている。
この種のコイルでは、電磁振動などにより電線が動いて、層間短絡を起こしたり、スロット絶縁が破壊されて地絡したりする虞れがあるため、電線は確実に固定される必要がある
【０００３】
従来から、固定子コイルの巻線を固定するため、巻線後真空含浸又は浸漬含浸する手段が用いられている。真空含浸の場合、ワークの形状によらずワニスが最もよく浸透し、信頼性の高いコイルが得られるが、ワニス硬化後に不要部分に付着したワニスを除去する作業が生じ、加工時間が増大する。また、浸漬含浸は、真空含浸ほど高価な設備が不要であるため、含浸設備が簡略化できるという長所があるが、コイルの線径が細く、巻数が多いものについては、ワニスが浸透しにくい。
【０００４】
これらの含浸手段を改善するものとして、自己融着性電線を使用したコイルも多数用いられている。この手段によると、巻線後の乾燥工程だけで、手入れ作業がほとんど不要になるため、加工時間が大幅に短縮する。
図７は例えば特開平５−６８３５９号公報に示された固定子コイル部分の横断面図であり、自己融着性薄葉材からなるスロット絶縁材９と、自己融着性電線１０を複数回巻回してなる固定子コイルが示されている。
【０００５】
すなわち、スロットの内壁面に沿って、あらかじめスロット絶縁材９を挿入しておき、その内側に自己融着性電線１０を複数回巻回した後、スロットの開口部をふさぐように、自己融着性薄葉材からなるくさび１１を挿入後、加熱処理されるものである。
【０００６】
【発明が解決しようとする課題】
上記のような従来の回転電機の固定子では、自己融着性電線１０を巻回した後、乾燥させるようにしているため、巻線の張力が加えられないコイルの直線部分に空間が生じやすく、長期間に渡る稼動中に電線が動いて、その部分が起点となって疲労破断したり、層間短絡等の事故に発展したりする可能性があるという問題点がある。
【０００７】
この発明は上記問題点を解消するためになされたもので、電線を確実に固定し、しかも効率良く作業できるようにした回転電機の固定子及びその製造方法を提供することを目的とする。
【０００８】
【課題を解決するための手段】
この発明の第１発明に係る回転電機の固定子は、リング状の固定子コアの内側に複数のティースが突出し、このティースに電線が複数層巻回されたものにおいて、上記巻回された電線の各層間に介在し、上記電線を結束するテープを備えたものである。
【０００９】
また、第２発明に係る回転電機の固定子は、第１発明のものにおいて、テープを、プリプレグテープとしたものである。
【００１０】
また、第３発明に係る回転電機の固定子の製造方法は、屈曲可能に連結されそれぞれ突出するティースを有する複数のコア部材を、上記ティースが外側となるような円弧状に形成する工程と、上記のように形成されたコア部材のティースに電線を巻線機により巻回する工程と、この工程と同時に上記巻回された電線上にプリプレグテープを上記巻線機により巻回する工程と、この工程に続いて上記コア部材を上記ティースが内側となるようなリング状に形成する工程とを備えたものである。
【００１１】
また、第４発明に係る回転電機の固定子の製造方法は、第３発明の各工程を終了した固定子を加熱して、プリプレグテープを乾燥する工程を設けたものである。
【００１２】
【発明の実施の形態】
実施の形態１．
図１〜図６はこの発明の第１〜第４発明の一実施の形態を示す図で、図１はモータの集中巻固定子の巻線部分の拡大断面図、図２は集中巻固定子の横断面図、図３はコア部材（直線状）の平面図、図４は図１のＩＶ部拡大図、図５はコア部材（円弧状）の平面図、図６は巻線方法説明図であり、図中同一符号は同一部分を示す。
【００１３】
図において、１は磁性板が積層して構成されたリング状の固定子コアで、複数のコア部材１Ａにより構成されている。コア部材１Ａは薄肉部１Ａａを有するヨーク部１Ａｂを介して互いに屈曲可能に連結されており、各ヨーク部１Ａｂにはそれぞれティース１Ａｃが突出して形成されている。２はティース１Ａｃの内側にテーピングされたプリプレグテープで、絶縁材３の固定用である。４は絶縁材３を介してティース１Ａｃに巻回された電線である。
【００１４】
５は、電線４の各巻線層の表面に巻回され電線４を固定するプリプレグテープ、６Ａは供給される電線４をティース１Ａｃに巻回する巻線機のヘッド、６Ｂは同じくプリプレグテープ５を電線４の表面に巻回する巻線機のヘッド、７は外周部に永久磁石７ａが配置されたロータである。ここで、プリプレグテープ２，５は耐熱支持体に樹脂を含浸して半硬化状態に処理されたテープである。
【００１５】
次に、上記のように構成された固定子コアに、例えば特開２０００−３２４７７２号公報に示されるように、巻線機による巻線が施される。以下巻線工程について説明する。
まず、コア部材１Ａは図３に示す直線状の状態から、薄肉部１Ａａを屈曲させることにより、図５に示すように各ティース１Ａｃが外側になるような円弧状に成形しておく。次に、ティース１Ａｃの内側にプリプレグテープ２を巻線機のヘッドに６Ｂを使用して自動テーピングする。
【００１６】
その後、絶縁材３をプリプレグテープ２の上から挿入する。そして、巻線機のヘッド６Ａ，６Ｂを使用して、電線４とプリプレグテープ５を巻回する。このとき、プリプレグテープ５は、電線４の巻線直後に巻回されることにより、各層の電線４を覆うように所定回数巻回される。そして、巻線完了したコア部材１Ａを，図２に示すように薄肉部１Ａａを屈曲させて、今度はティース１Ａｃが内側になるようなリング状に形成し、両側を例えば溶接等で固着することにより、固定子が形成される。
【００１７】
その後、プリプレグテープ２，５の樹脂（図示しない）を硬化させるため、巻線完了した固定子を乾燥炉にセットして、加熱乾燥する。
このようにして、電線４の各巻回層ごとにプリプレグテープ５を巻回して電線４を結束し、加熱乾燥によりプリプレグテープ５の樹脂を硬化させるようにしたため、更に強固に電線４を固定し、電線４の移動によって生じる層間短絡等の事故防止機能の向上を図ることが可能となる。
【００１８】
また、電線４及びプリプレグテープ５は共に自動巻きされており、更にワニス処理（含浸）工程を省略しているため、作業工程が大幅に短縮可能となる。
また、電線４の張力とテーピングの張力により絶縁材３を押圧することができるため、加熱乾燥時、絶縁材３をコア部材１Ａに密着させることができ、スロット絶縁の機能を十分に果たすことが可能となる。
【００１９】
【発明の効果】
以上説明したとおりこの発明の第１発明では、固定子コアの内側に突出するティースに巻回された電線の各層間にテープを介在させて電線を結束するようにしたので、強固に電線を固定して、層間短絡等の防止機能を向上することができる。
【００２０】
また、第２発明では、テープをプリプレグテープとしたので、加熱乾燥による樹脂硬化により、更に強固に電線を固定することができるとともに、作業工程を大幅に短縮することができる。
【００２１】
また、第３発明では、屈曲可能に連結されそれぞれ突出するティースを有する複数のコア部材をティースが外側となるような円弧状に形成し、このコア部材のティースに電線を巻線機により巻回し、巻回された電線上にプリプレグテープを巻線機により巻回した後、コア部材をティースが内側となるようなリング状に形成する各工程を備えたので、強固に電線を固定して、層間短絡等の防止機能を向上することができるとともに、ワニス処理工程を省略して作業工程を大幅に短縮することができる。
【００２２】
また、第４発明では巻線工程を終了した固定子を加熱して、プリプレグテープを乾燥するようにしたので、プリプレグテープの樹脂が硬化して、電線の固定が強化されるとともに、作業工程を大幅に短縮することができる。
【図面の簡単な説明】
【図１】この発明の実施の形態１を示すモータの集中巻固定子の巻線部分の拡大断面図。
【図２】この発明の実施の形態１を示す集中巻固定子の横断面図。
【図３】この発明の実施の形態１を示すコア部材（直線状）の平面図。
【図４】この発明の実施の形態１を示す図１のＩＶ部の拡大図。
【図５】この発明の実施の形態１を示すコア部材（円弧状）の平面図。
【図６】この発明の実施の形態１を示す巻線方法説明図。
【図７】従来の回転電機の固定子コイル部分の横断面図。
【符号の説明】
１　固定子コア、　１Ａ　コア部材、　１Ａａ　薄肉部、　１Ａｂ　ヨーク部、１Ａｃ　ティース、　２　プリプレグテープ、　３　絶縁材、　４　電線、　５　プリプレグテープ、　６Ａ，６Ｂ　巻線機のヘッド。
【図１】
2004048917.tif 000003
【図２】
2004048917.tif 000004
【図３】
2004048917.tif 000005
【図４】
2004048917.tif 000006
【図５】
2004048917.tif 000007
【図６】
2004048917.tif 000008
【図７】
2004048917.tif 000009